(57)【要約】【課題】  家庭用洗濯機による水洗いを可能とし、中身材７にしみ込んだ汗、汚れ、臭いを除去し、ダニの駆除、除菌を行うことができ、極めて衛生的、健康的な枕を提供する。【解決手段】  上下の側生地１ａ、１ｂで展開状態で帯状体２として形成され、長手方向に沿って複数の袋状区分３に区画され、各袋状区分３に扁平状に中身材７を収納し、側生地１ａ、１ｂ及び中身材７を水洗い可能な素材で形成し、帯状体２を袋状区分３の境で折って回転方向へ順次折り畳み、袋状区分３を層状に重ねて使用することを特徴とする。【選択図】  図１
2005304612.tif 000002
【特許請求の範囲】
【請求項１】
上下の側生地１ａ、１ｂで展開状態で帯状体２として形成され、長手方向に沿って複数の袋状区分３に区画され、各袋状区分３に扁平状に中身材７を収納し、側生地１ａ、１ｂ及び中身材７を水洗い可能な素材で形成し、
帯状体２を袋状区分３の境で折って回転方向へ順次折り畳み、袋状区分３を層状に重ねて使用することを特徴とした枕。
【請求項２】
袋状区分３に交互に異なる特質の中身材７ａ、７ｂを収納した請求項１に記載の枕。
【請求項３】
側生地１ａ、１ｂの一方をメッシュ生地で形成した請求項１又は２に記載の枕。
【発明の詳細な説明】
【技術分野】
【０００１】
この発明は、睡眠用の枕に関するものである。
【背景技術】
【０００２】
一般に広く用いられている睡眠用の枕は、一定のボリュームの中身材を側生地内に収納して形成され、中身材の素材として、綿、ポリエステル綿、発泡ウレタン、羽毛、羊毛、ビーズ、そば殻、樹脂チップ（例えばパイプ形状としたもの）等、様々なものが用いられている。これらの素材には特有の触感や硬さがあり、使用者は好みのものを購買し、これを布製枕カバーで覆って一般に使用されている。
【０００３】
一方、枕の長期の使用において、睡眠中の発汗が中身材にしみ込み、ダニや菌類の発生、臭いの染み付きの要因となり、日干し乾燥によるメンテナンスを施したとしても、中身材が一定のボリュームがあるために、芯まで効果が及ばない。ダニの駆除、除菌、汚れや臭いの除去には、洗濯機による水洗いが最も簡単で効果的であるが、中身材が一定のボリュームであるために丸洗いに適さず、そもそも一般に市販されている枕は家庭での洗濯を想定しておらず、布製枕カバーの洗濯は行われるが、中身材を洗濯機による水洗いすることは行われていない。
【発明の開示】
【発明が解決しようとする課題】
【０００４】
このように、従来の枕の使用においては、中身材が洗濯されることがなく、衛生上、健康上の課題があった。また、中身材の素材で決定される触感や硬さを使用者の好みに応じて変えることはできず、結局、ある期間使用後には破棄され、好みに合わなければ買い換えなければならなかった。
【０００５】
この発明はこれらの課題を解決するもので、家庭用洗濯機による水洗いを可能とし、中身材にしみ込んだ汗、汚れ、臭いを除去し、ダニの駆除、除菌を行うことができ、極めて衛生的、健康的な枕を提供するものである。また、季節や好みに応じて異なる触感や硬さでの使用を可能とした枕を提供するものである。
【課題を解決するための手段】
【０００６】
こうした課題を解決するため、この発明の枕は、上下の側生地１ａ、１ｂで展開状態で帯状体２として形成され、長手方向に沿って複数の袋状区分３に区画され、各袋状区分３に扁平状に中身材７を収納し、側生地１ａ、１ｂ及び中身材７を水洗い可能な素材で形成する。そして、帯状体２を袋状区分３の境で折って回転方向へ順次折り畳み、袋状区分３を層状に重ねて使用することを特徴とするものである。
【０００７】
請求項２に記載の枕は、袋状区分３に交互に異なる特質の中身材７ａ、７ｂを収納するものである。また、請求項３に記載の枕は、側生地１ａ、１ｂの一方をメッシュ生地で形成するものである。
【発明の効果】
【０００８】
この発明の枕は、側生地１ａ、１ｂ及び中身材７を水洗い可能な素材で形成するとともに、展開状態で帯状体２として形成され、袋状区分３には中身材７が扁平状に収納されてボリュームがなく、帯状体２を家庭用洗濯機に投入して水洗いすることができ、扁平の帯状体２であるから乾燥も早く、洗濯当日に使用可能である。このように家庭での定期的な洗濯により、中身材にしみ込んだ汗、汚れ、臭いを除去し、ダニの駆除、除菌を行うことができ、衛生的、健康的な使用を可能としたものである。また、極めて衛生的であるから、家庭での使用はもとより、不特定多数に使用される枕として、宿泊施設や病院等で用いて特に有益である。
【０００９】
また、袋状区分３に、例えば触感が異なるや綿とビーズ、硬さが異なるスポンジ等、交互に異なる特質の中身材７ａ、７ｂを収納すれば、枕を裏返すことで異なる触感や硬さを使い分けることができる。また、側生地１ａ、１ｂの一方をメッシュ生地で形成することで、夏期には折り畳み回転方向を方向を変えて帯状体２を折り畳み、メッシュ生地を頭部が当接する表面とし、通気性に優れた心地よい触感の枕として使用することができる。このように、この発明の枕は、季節や好みに応じた使用が可能である。
【発明を実施するための最良の形態】
【００１０】
以下に、この発明の最良の形態について実施例に基づいて説明する。
図面は、この発明の枕の具体的な実施例で、図１に展開した状態（製作した状態）を示す。図に示すように、この枕は、上下の側生地（図面上では上側生地１ａ、下側生地１ｂ）で展開状態で扁平の帯状体２として形成される。帯状体２は、長手方向に沿って４つの袋状区分３ａ、３ｂ、３ｃ、３ｄに区画され、各袋状区分３に扁平状に中身材を収納している。側生地１ａ、１ｂ及び中身材は水洗い可能な素材で形成され、この実施例では、上側生地１ａとしてメッシュ生地が用いられている。
【００１１】
図２にこの発明の枕の使用状態を示す。図に示すように、帯状体２を袋状区分３の境で折って一端の袋状区分３ｄから回転方向（図１中Ａで示す方向）へ順次折り畳み、袋状区分３を層状に重ねる。そして、下層の袋状区分３ａと上層の袋状区分３ｂとを側端で紐５で締結し、通常のボリュームを有する枕形状として使用する。このように折り畳むことで、袋状区分３ｄ、３ｃが内側で、袋状区分３ａ、３ｂが外側となるため、袋状区分３ａ、３ｂを袋状区分３ｄ、３ｃよりも若干大きな幅に設定している。
【００１２】
このようにして形成した枕は、下側生地１ｂが枕の表面となるが、折り畳み回転方向を変えて（図１中Ｂで示す方向）帯状体２を折り畳んで枕を形成すれば、メッシュ生地である上側生地１ａが頭部が当接する表面となり、夏期において通気性に優れた心地よい触感の枕として使用することができる。図１中の紐６は、このようにして折り畳んだ場合に、側端で紐５と締結するためのものであり、この裏面にも図示されないが、図１中Ａ方向へ折り畳んだ場合に紐５と締結するための紐が設けられている。。
【００１３】
図３に、袋状区分３ａ、３ｂ、３ｃ、３ｄに交互に異なる特質の中身材７ａ、７ｂを収納した実施例を示す。この発明の枕は、帯状体２を折り畳んで枕形状とした場合、一つ置きの交番関係で袋状区分３ａ、３ｂ、３ｃ、３ｄが重なる。そこで、例えば触感が異なる綿とビーズや、スポンジ素材でも硬さが異なるもの等、交互に異なる特質の中身材７ａ、７ｂを収納すれば、図３に示すように、枕の上層と下層に各中身材７ａ、７ｂが分かれて重なることになる。したがって、枕を裏返すことで中身材７ａが頭部に当接する使用と、中身材７ｂが頭部に当接する使用とを好みに応じて使い分けることができる。
【００１４】
以上のように形成した枕は、紐５を解いて展開すれば、扁平でボリュームのない帯状体２となり、これを家庭用洗濯機に投入して定期的に洗濯し、中身材にしみ込んだ汗、汚れ、臭いを除去し、衛生的に使用することができる。なお、実施例では紐５を用いて袋状区分３ａ、３ｂを側端で締結したが、他の固定手段を用いて枕形状に成形してもよく、専用又は市販の枕カバーで覆って使用してもよい。
【図面の簡単な説明】
【００１５】
【図１】この発明の実施例の展開状態の斜視図。
【図２】使用状態の斜視図。
【図３】中身材の実施例の断面図。
【符号の説明】
【００１６】
１ａ、１ｂ  側生地
２  帯状体
３  袋状区分
７ａ、７ｂ  中身材
【図１】
2005304612.tif 000003
【図２】
2005304612.tif 000004
【図３】
2005304612.tif 000005